(57)【要約】【課題】上部の軸受に安価な通常の軸受を使用し軸受が密封されたグリスの耐熱温度以上に過熱された場合であっても、正常な軸受機能を維持し、正常な運転状態を長期間にわたって維持できる液中モータポンプを提供すること。【解決手段】ポンプ３０とモータ部１０を直列に連結した液中モータポンプにおいて、モータ部１０の反負荷側軸受用ハウジング２３の反負荷側に補給用のグリスを貯蔵するグリス溜室２４を設け、該グリス溜室２４と軸受１８間に設けた仕切り部２３ｂに複数の連通孔２５を設けた。【選択図】　　　図２
2004144008.tif 000002
【特許請求の範囲】
【請求項１】
ポンプ部とモータ部を直列に連結し、ポンプ部を下方、モータ部を上方に配置した液中モータポンプにおいて、前記モータ部の反負荷側軸受用ハウジングの上部側に補給用のグリスを貯蔵するグリス溜室を設け、該グリス溜室と軸受間に設けた仕切り部に複数の連通孔を設けたことを特徴とする液中モータポンプ。
【請求項２】
請求項１に記載の液中モータポンプにおいて、
前記グリス溜室を軸受ハウジングの一部を環状に突起させて形成すると共に、その開口部を弾性を有する蓋体で閉止したことを特徴とする液中モータポンプ。
【発明の詳細な説明】
【０００１】
【発明の属する技術分野】
本発明は、水中等の液中モータポンプに関し、特にその軸受ハウジングに特徴を有する液中モータポンプに関するものである。
【０００２】
【従来の技術】
図１はポンプ部とモータ部を直列に連結して水中等の液中で使用する従来の液中モータポンプの構造例を示す図である。液中モータポンプは図示するように、ポンプ３０とモータ部１０を直列に連結した構造である。モータ部１０はモータフレーム１１を具備し、該モータフレーム１１内にステータコア１２を嵌挿入し、該ステータコア１２内に主軸１３に固着されたロータコア１４を配置した構造である。
【０００３】
モータフレーム１１上端にはモータブラケット１５が固着され、該モータフレーム１１上端とモータブラケット１５の間に上部軸受ハウジング１６が挟持され固着されている。モータフレーム１１下端部には下部軸受ハウジング１７がモータフレーム１１と一体に設けられている。上部軸受ハウジング１６と下部軸受ハウジング１７には、主軸１３を回転自在に支持する軸受１８、１９が設けられている。
【０００４】
ポンプ３０は主軸１３の下端に固着された羽根車３１、モータフレーム１１の下端に固着されたケーシングカバー３２及びポンプケーシング３３を具備する。モータ部１０とポンプ３０の間には軸封機構２０が配置され、ポンプ取扱液が他フレーム内に浸入しないようになっている。なお、２１はステータコア１２に装着されているステータ巻線２２に駆動電力を供給するための電力ケーブルである。
【０００５】
上記構造の液中モータポンプにおいて、モータ部１０を起動してポンプ３０の羽根車３１を回転すると、吸込口３４から吸込まれたポンプ取扱液は吐出口３５から吐出される。
【０００６】
この種の液中モータポンプでは、ロータコア１４及びステータコア１２により加熱された空気が上部の軸受１８付近に滞留し、更にロータコア部からの伝熱も加わるため、上部の軸受１８が加熱し易い構造となっている。そして軸受１８、１９にそれぞれグリスが内部に密封された密封形軸受を使用している。
【０００７】
そのため、モータ部１０が気中に露出した状態で長時間運転された場合など、モータ部の冷却が不足し上部の軸受１８に密封されたグリスの粘性が異常に低下して軸受１８の外に流出することで潤滑不足となる。その結果、上部軸受に異常音や振動が発生し、更には破壊に至る恐れがある。
【０００８】
従来このような不具合を防ぐために、上部の軸受１８は通常よりも耐熱温度の高いグリスを使用した特殊で且つ高価な軸受が使用されており、そのためコストアップの要因となっている。
【０００９】
【特許文献１】
特開２０００−６４９８０号公報
【００１０】
【発明が解決しようとする課題】
本発明は上述の点に鑑みてなされたもので、上部の軸受に安価な通常の軸受を使用し軸受が密封されたグリスの耐熱温度以上に過熱された場合であっても、正常な軸受機能を維持し、正常な運転状態を長期間にわたって維持できる液中モータポンプを提供することを目的とする。
【００１１】
【課題を解決するための手段】
上記課題を解決するため請求項１に記載の発明は、ポンプ部とモータ部を直列に連結し、ポンプ部を下方、モータ部を上方に配置した液中モータポンプにおいて、前記モータ部の反負荷側軸受用ハウジングの上部側に補給用のグリスを貯蔵するグリス溜室を設け、該グリス溜室と軸受間に設けた仕切り部に複数の連通孔を設けたことを特徴とする。
【００１２】
上記のようにモータ部の反負荷側軸受用ハウジングの上部側に補給用のグリスを貯蔵するグリス溜室を設け、該グリス溜室と軸受間に設けた仕切り部に複数の連通孔を設けたことにより、軸受が密封されたグリスの耐熱温度以上に過熱された場合に適時グリス溜室からグリスを補給できるから、軸受に安価な一般的な軸受を使用した場合であっても正常な軸受機能を維持でき、液中モータポンプが正常な運転状態を長期間にわたって維持できる。
【００１３】
請求項２に記載の発明は、請求項１に記載の液中モータポンプにおいて、グリス溜室を軸受ハウジングの一部を環状に突起させて形成すると共に、その開口部を弾性を有する蓋体で閉止したことを特徴とする。
【００１４】
上記のようにグリス溜室を軸受ハウジングの一部を環状に突起させて形成すると共に、その開口部を弾性を有する蓋体で閉止するので、簡単な構造で且つ内部に収納したグリスが漏れ出すことがない。
【００１５】
【発明の実施の形態】
以下、本発明の実施の形態例を図面に基づいて説明する。図２は本発明に係る液中モータポンプの構造例を示す図である。図２において、図１と同一符号を付した部分は同一又は相当部分を示す。本液中モータポンプでは、モータフレーム１１上端とモータブラケット１５の間に上部軸受ハウジング２３が挟持されて固着され、該上部軸受ハウジング２３の一部を環状に突起させて環状突起部２３ａを形成し、該環状突起部２３ａの内部をグリス溜室２４としている。
【００１６】
上部軸受ハウジング２３のグリス溜室２４の反対側には仕切り部２３ｂを介在させて軸受収容室が形成され、該軸受収容室内に軸受１８が収納されている。仕切り部２３ｂにはグリス溜室２４と軸受収容室を連通させる複数の連通孔２５が形成されている。グリス溜室２４の上部開口部は、ゴム等の弾性材料からなる閉止蓋２６により閉止されている。該閉止蓋２６には、グリス補給時にグリス溜室２４の内部が負圧になるのを防ぎ、グリス補給を円滑に行うため、グリス溜室２４とモータブラケット１５の内部を連通する空気孔２７を設けてある。
【００１７】
上記のように上部の軸受１８が収納された軸受収容室の上部に仕切り部２３ｂを介在させてグリス溜室２４を設けたことにより、軸受１８が密封されたグリスの耐熱温度以上に過熱された場合に適時グリス溜室２４からグリスを補給できるから、軸受１８に安価な一般的な軸受を使用した場合であっても正常な軸受機能を長期間にわたって維持することが可能となる。
【００１８】
以上本発明の実施形態を説明したが、本発明は上記実施形態に限定されるものではなく、特許請求の範囲、及び明細書と図面に記載された技術的思想の範囲内において種々の変形が可能である。
【００１９】
【発明の効果】
以上、説明したように各請求項に記載の発明によれば、下記のような優れた効果が得られる。
【００２０】
請求項１に記載の発明によれば、モータ部の反負荷側軸受用ハウジングの上部側に補給用のグリスを貯蔵するグリス溜室を設け、該グリス溜室と軸受間に設けた仕切り部に複数の連通孔を設けたことにより、軸受が密封されたグリスの耐熱温度以上に過熱された場合に適時グリス溜室からグリスを補給できるから、軸受に安価な一般的な軸受を使用した場合であっても正常な軸受機能を維持でき、正常な運転状態を長期間にわたって維持できる液中モータポンプを提供できる。
【００２１】
請求項２に記載の発明によれば、グリス溜室を軸受ハウジングの一部を環状に突起させて形成すると共に、その開口部を弾性を有する蓋体で閉止するので、簡単な構造で且つ内部に収納したグリスが漏れ出すことがない。
【図面の簡単な説明】
【図１】従来の液中モータポンプの構成例を示す図である。
【図２】本発明に係る液中モータポンプの構成例を示す図である。
【符号の説明】
１０　　　　　　モータ部
１１　　　　　　モータフレーム
１２　　　　　　ステータコア
１３　　　　　　主軸
１４　　　　　　ロータコア
１５　　　　　　モータブラケット
１６　　　　　　上部軸受ハウジング
１７　　　　　　下部軸受ハウジング
１８　　　　　　軸受
１９　　　　　　軸受
２０　　　　　　軸封機構
２１　　　　　　電力ケーブル
２２　　　　　　ステータ巻線
２３　　　　　　上部軸受ハウジング
２４　　　　　　グリス溜室
２５　　　　　　連通孔
２６　　　　　　閉止蓋
２７　　　　　　空気孔
３０　　　　　　ポンプ
３１　　　　　　羽根車
３２　　　　　　ケーシングカバー
３３　　　　　　ポンプケーシング
３４　　　　　　吸込口
３５　　　　　　吐出口
【図１】
2004144008.tif 000003
【図２】
2004144008.tif 000004